(57)【要約】【課題】  赤外カメラを高精度でキャリブレーションすることができるキャリブレーション用チャート及びキャリブレーションを行うための内部パラメータ測定方法を提供する【解決手段】  汎用の赤外カメラにおいて、レンズ収差を補正するのに必要な内部パラメータを測定するために用いられるキャリブレーション用チャートである。キャリブレーション用チャートは、平板状の本体部２，１２と、前記本体部の一方の面に相対的な位置関係が既知となるように多数点在しかつ前記本体部の表面と比較して温度が異なる異温部３，１３を備える。異温部は、本体部に設けられた貫通穴または本体部と熱伝導度が異なる材料で構成された小片で構成される。【選択図】  図２
2006170648.tif 000002
【特許請求の範囲】
【請求項１】
汎用の赤外カメラにおいて、レンズ収差を補正するのに必要な内部パラメータを測定するために用いられるキャリブレーション用チャートであって、
平板状の本体部と、前記本体部の一方の面に相対的な位置関係が既知となるように多数点在しかつ前記本体部の表面と比較して温度が異なる異温部を備えることを特徴とする、赤外カメラのキャリブレーション用チャート。
【請求項２】
前記異温部は、前記本体部に等間隔に格子状に設けられた複数の貫通穴であることを特徴とする、請求項１に記載のキャリブレーション用チャート。
【請求項３】
前記異温部は、前記本体部の表面に等間隔に格子状に貼付された前記本体部と熱伝導度が異なる小片で構成されていることを特徴とする、請求項１に記載のキャリブレーション用チャート。
【請求項４】
前記本体部は樹脂で構成され、前記小片は金属で構成されていることを特徴とする、請求項３に記載のキャリブレーション用チャート。
【請求項５】
さらに、本体部を加熱または冷却するための変温部を備えていることを特徴とする、請求項１から４のいずれか１つに記載のキャリブレーション用チャート。
【請求項６】
平板状の本体部と、前記本体部の一方の面に相対的な位置関係が既知となるように多数点在しかつ前記本体部の表面と比較して温度が異なる異温部を備えるキャリブレーション用チャートを用いて、汎用の赤外カメラのレンズ収差を補正するのに必要な内部パラメータの測定方法であって、
前記キャリブレーション用チャートの前記本体部と異温部との間に温度差を与えるステップと、
前記温度差を与えた前記キャリブレーション用チャートに対して前記赤外カメラを用いて複数箇所から撮影するステップと、
前記複数箇所から撮影された赤外画像に表示されている異温部に対応する点画像の位置を比較することにより、前記赤外カメラのキャリブレーションを行うことを特徴とする、内部パラメータの測定方法。
【請求項７】
前記キャリブレーション用チャートは、異温部が前記本体部に等間隔に格子状に設けられた貫通穴で構成されているものであって、
前記本体部と異温部との間に温度差を与えるステップは、前記本体部を加熱することにより行われることを特徴とする、請求項６に記載の内部パラメータの測定方法。
【請求項８】
前記キャリブレーション用チャートは、異温部が、前記本体部の表面に等間隔に格子状に貼付された前記本体部と熱伝導度が異なる小片で構成されているものであって、
前記本体部と異温部との間に温度差を与えるステップは、前記本体部を加熱または冷却した後、赤外画像において異温部と本体部との温度差が生じるまでの時間放置することにより行われることを特徴とする、請求項６に記載の内部パラメータの測定方法。
【発明の詳細な説明】
【技術分野】
【０００１】
本発明は、カメラやデジタルカメラ等で撮影された画像のレンズ収差を補正する場合や画像により計測を行うのに用いられるキャリブレーション装置及び方法に関し、特にカメラの内部パラメータ（例えば、レンズの主点位置、画面距離（焦点距離）、歪曲パラメータ等）を簡易に測定できるキャリブレーション装置及び方法に関する。
【背景技術】
【０００２】
従来から、写真測量や写真計測の分野では、収差の少ない画像を得ることが重要である。そこで、写真測量や写真計測の分野では、撮影用カメラのレンズとして収差が少ない高精度のレンズを使用している。さらに、写真測量分野では、精密に計測された３次元上に配置された多数の点を複数方向から計測することにより、カメラの内部パラメータ（主点位置、画面距離、歪曲パラメータ）を解析的に求めている。また、写真計測の分野で用いられる計測用カメラの場合は、製作されたカメラを精密に計測することにより、カメラの内部パラメータを求めている。
【０００３】
しかしながら、写真測量分野のように精密に計測された３次元上の測定点を撮影計測して、カメラ内部パラメータを求める方法では、以下の課題がある。まず、第１に３次元上に測定点（ターゲット）が配置されている。そこで、複数方向から撮影すると死角が生じて、画像間でみえないターゲットが生じる。第２に撮影された画像において、３次元上の測定点相互の位置関係に逆転が生じる場合があり、測定点の計測や各画像間の対応付けが困難で、自動化できない。そこで、相当の熟練をした作業員により、測定点の計測や各画像間の対応付けを行っている。すると、カメラの内部パラメータを得るために、高額のコストと長時間の作業が必要となってくる。また、製作された計測用カメラを精密に計測する方法も、専用の冶工具が必要なだけでなく、熟練を要し特殊な設備のある機関でしか計測できず、計測専用カメラとして高価になるという課題がある。
【０００４】
そこで、近年では、３次元上の測定点に代わるものとして、シートに印刷された２次元の測定点を計ることにより、レンズ収差を計測するキャリブレーション方式が提案されている。この方式は、表面に点状のマークを印刷したキャリブレーション用チャートと呼ばれるシート部材を用いて行い、当該キャリブレーション用チャートを複数箇所から撮影して得られた複数枚の写真について、それぞれ対応する点状のマークの画像上の位置を比較することにより、カメラの内部評定を行う方法である。このキャリブレーション用チャートについては、例えば、特許文献１などに開示されている。
【特許文献１】特開２００３−３０７４６６号公報
【非特許文献１】Z.Zhang:Flexible Camera Calibration by Viewing a Plane from Unknown Orientation. Proc of 7th Int. Conference on Computer Vision, Kerkyra, Greece. pp.666-673, Sept.1999
【発明の開示】
【発明が解決しようとする課題】
【０００５】
ところで、写真計測を行う場合、被写体の種類などによっては、可視カメラを用いずに、例えば、赤外カメラなどを用いて撮影した赤外画像を利用する場合がある。例えば、赤外カメラによって得られた赤外画像は、コンクリート壁面などの表面温度を計測でき、その温度分布からコンクリートの異常部（剥離、空洞部、湿潤部等々）を診断することができる。この時、コンクリートの異常部を視覚的にわかりやすくするために、可視画像と赤外画像を重ね合わせて使用することがある。しかし可視画像と赤外画像は共に異なる歪みをもっているため、重ね合わせがうまくいかない場合がある。可視画像の歪みは前述の方法により計測できるが、赤外カメラは、被写体の輻射熱を測定し、それを画像化したものであり、可視的にどのような模様が付されていようと、温度変化のない対象物に対しては同じ色で表現されるという性質がある。
【０００６】
したがって、赤外カメラにより上記キャリブレーション用チャートを撮影した画像には、キャリブレーション用チャートの点が認識され得ないことから、当該赤外カメラのキャリブレーションを行うことができないという問題を有していた。
【０００７】
従来は、この問題を解消するため、赤外カメラの歪曲パラメータを算出する場合は、歪曲パラメータを少しずつ変更しながら、視覚的に歪みがとれたかどうかを確認し、主観的判断の元で歪曲パラメータを求めていた。また、赤外カメラの焦点距離に至っては求めることもできないという問題があった。
【０００８】
よって、上記問題により、赤外カメラを用いて写真計測を行うにあたり、カメラのキャリブレーションを高精度かつ客観的に行うことは困難であった。
【０００９】
したがって、本発明が解決しようとする技術的課題は、赤外カメラを高精度でキャリブレーションすることができるキャリブレーション用チャート及びキャリブレーションを行うための内部パラメータ測定方法を提供することである。
【課題を解決するための手段】
【００１０】
本発明は、上記技術的課題を解決するために、以下の構成のキャリブレーション用チャートを提供する。
【００１１】
本発明の第１の態様によれば、汎用の赤外カメラにおいて、レンズ収差を補正するのに必要な内部パラメータを測定するために用いられるキャリブレーション用チャートであって、
平板状の本体部と、前記本体部の一方の面に相対的な位置関係が既知となるように多数点在しかつ前記本体部の表面と比較して温度が異なる異温部を備えることを特徴とする、赤外カメラのキャリブレーション用チャートを提供する。
【００１２】
本発明の第２の態様によれば、前記異温部は、前記本体部に等間隔に格子状に設けられた複数の貫通穴である第１態様のキャリブレーション用チャートを提供する。
【００１３】
本発明の第３態様によれば、前記異温部は、前記本体部の表面に等間隔に格子状に貼付された前記本体部と熱伝導度が異なる小片で構成されている第１態様のキャリブレーション用チャートを提供する。
【００１４】
本発明の第４態様によれば、前記本体部は樹脂で構成され、前記小片は金属で構成されている第３態様のキャリブレーション用チャートを提供する。
【００１５】
本発明の第５態様によれば、さらに、本体部を加熱または冷却するための変温部を備えていることを特徴とする、第１から第４態様のいずれか１つのキャリブレーション用チャートを提供する。
【００１６】
本発明の第６態様によれば、平板状の本体部と、前記本体部の一方の面に相対的な位置関係が既知となるように多数点在しかつ前記本体部の表面と比較して温度が異なる異温部を備えるキャリブレーション用チャートを用いて、汎用の赤外カメラのレンズ収差を補正するのに必要な内部パラメータの測定方法であって、
前記キャリブレーション用チャートの前記本体部と異温部との間に温度差を与えるステップと、
前記温度差を与えた前記キャリブレーション用チャートに対して前記赤外カメラを用いて複数箇所から撮影するステップと、
前記複数箇所から撮影された赤外画像に表示されている異温部に対応する点画像の位置を比較することにより、前記赤外カメラのキャリブレーションを行うことを特徴とする、内部パラメータの測定方法を提供する。
【００１７】
本発明の第７態様によれば、前記キャリブレーション用チャートは、異温部が前記本体部に等間隔に格子状に設けられた貫通穴で構成されているものであって、
前記本体部と異温部との間に温度差を与えるステップは、前記本体部を加熱または冷却することにより行われる第６態様の内部パラメータの測定方法を提供する。
【００１８】
本発明の第８態様によれば、前記キャリブレーション用チャートは、異温部が、前記本体部の表面に等間隔に格子状に貼付された前記本体部と熱伝導度が異なる小片で構成されているものであって、
前記本体部と異温部との間に温度差を与えるステップは、前記本体部を加熱または冷却した後、赤外画像において異温部と本体部との温度差が生じるまでの時間放置することにより行われる第６態様の内部パラメータの測定方法を提供する。
【発明の効果】
【００１９】
本発明の第１態様または第６態様によれば、当該本体部に相対的な位置関係が既知となるように設けられた異温部を備えるため、赤外カメラにおいて撮影した場合、異温部と本体部との温度差に基づいて、本体部の領域に異温部による認識可能な点が写し出される。これにより、赤外画像を直接用いて赤外カメラの内部パラメータの測定を行うことができ、赤外カメラを写真計測などに用いる場合のキャリブレーションを行うことが可能となる。
【００２０】
本発明の第２態様または第７態様によれば、異温部が貫通穴で設けられているため、異温部は周囲の気温を有することとなる。よって、本体部を加熱または冷却することにより、貫通穴と本体部との間に温度差を与えることができ、赤外カメラで撮影した場合において、貫通穴の部分を認識することができる。
【００２１】
本発明の第３態様、第４態様または第８態様によれば、例えば、樹脂製の本体部と熱伝導度が異なる金属製の小片で異温部が構成されている。よって、気温に対して加熱または冷却されたキャリブレーション用チャートを放置しておくと、熱伝導度が大きいものについては熱が早く発散して気温と同じ温度になるのに対し、熱伝導度が小さいものについては、熱の発散が少なく、加熱または冷却された温度を長時間にわたり維持することとなる。したがって、小片と本体部との間に温度差を与えることができ、赤外カメラで撮影した場合において、小片の部分を認識することができる。
【００２２】
本発明の第５態様によれば、キャリブレーション用チャートを積極的に加熱冷却することができ、キャリブレーション用チャートが室温に戻ることにより赤外画像において異温部を認識できなくなるという問題を解消することができる。
【発明を実施するための最良の形態】
【００２３】
以下、本発明の実施形態に係るキャリブレーション用チャート及び当該チャートを用いたカメラの内部パラメータの測定方法について、図面を参照しながら説明する。
【００２４】
（第１実施形態）
図１は、本発明の第１実施形態にかかるキャリブレーション用チャートの概略構成を示す図である。図２は、図１のキャリブレーション用チャートの部分拡大斜視図である。図１のキャリブレーション用チャート１は、矩形の平板状の本体部２に、格子状に複数の貫通穴３が設けられた構成である。
【００２５】
図１のキャリブレーション用チャートは、平板状の本体部２の寸法が概ねＡ３(420×297mm)サイズであるが、これに限られるものではない。また、本実施形態においては、アクリル樹脂が用いられているが、これに限られるものではないが、後述するように、加熱された後、容易に冷却しないように、熱伝導度が低い材質で構成されていることが好ましく、汎用的に用いられている樹脂やガラスなどが好適である。
【００２６】
本体部２に設けられている貫通穴３は、後述する赤外カメラを用いて、当該キャリブレーション用チャートを撮影した撮影画像において、画像上認識可能な点として映し出される部分であり、カメラの内部パラメータ測定に用いられる。貫通穴３は、相対的な位置関係が既知となるように配置され、好ましくは本体部２に均等に設けられる。さらに好ましくは、図１に示すように格子状に配置される。また、さらには、隣り合う貫通穴間のＸ方向及びＹ方向の距離Ｓｘ，Ｓｙは、すべて同一に構成されていることが好ましい。
【００２７】
貫通穴３の数は、少なくともＸ方向及びＹ方向に２つずつの４つ以上であればよいが、好ましくは３０個以上、さらには、１００から２００個程度である。図１の実施形態ではＸ方向に９個、Ｙ方向に７個の貫通穴が格子状に配列されており、合計６３個の貫通穴が設けられている。また、貫通穴のサイズＭとしては、概ね数ミリメートルから数センチメートル程度とすることが好ましく、３ｍｍから３ｃｍ程度とすることが好ましい。あまりに大きくすると赤外画像として点表示される部分の面積が大きくなり、それぞれの点の対応付け精度が低下すると共にキャリブレーション用チャート自体のサイズが大きくなる一方、あまりに小さくすると、赤外画像として点表示される部分が小さくなりすぎ、点表示として認識されない場合、内部パラメータの演算の精度を低下させるおそれがあるためである。これらのサイズは赤外カメラの解像度によって適切に決めるものであり、前述の値に限るものではない。
【００２８】
図１のキャリブレーション用チャート１において、貫通穴３は、空洞となっているため、平板状本体部２と比較して温度が異なる部分となる。ここで、後述するように図１のキャリブレーション用チャートは、赤外カメラの内部パラメータ測定に用いられるものであり、赤外画像を撮影した場合、貫通穴３の部分と本体部２との部分が視覚的に認識可能であることが求められる。したがって、貫通穴３の部分と本体部２との部分との温度差は、赤外画像として撮影した場合に認識可能となる温度であり、内部パラメータの測定を行う赤外カメラの性能などにもよるが、概ね１℃以上の差異があることが好ましい。
【００２９】
また、平板状本体部は、貫通穴３の部分との温度差を大きくするために、電熱線などの加熱装置や冷却装置などを備えていてもよい。電熱線や冷却装置は本体部２の表面を加熱冷却できるように構成されていればどのようなものであってもよい。
【００３０】
また、赤外カメラによって撮影する際に、貫通穴３のある平板状本体を背後の物体から遠ざけることにより、平板状本体を加熱冷却することなく、貫通穴３を赤外カメラによって認識することができる。例えば、平板状本体部の背後を空にすることで、貫通穴を通して背後からの熱放射がなくなり、赤外カメラで撮影することによって貫通穴３を赤外カメラによって認識できる。
【００３１】
図３は、図１のキャリブレーション用チャートを用いて赤外カメラの内部パラメータを測定する場合の手順を示す図である。本実施形態にかかるキャリブレーション用チャートを用いて内部パラメータの測定を行うカメラは、一般に赤外カメラと呼ばれるカメラであり、被写体の輻射熱（温度）を測定し、それを画像化できるカメラであり、撮影された画像は、被写体の表面温度の分布が写し出される。このため、温度変化のない被写体は、可視的にどのような模様があろうと、同じ色で表現されるという性質を持つ。なお、赤外カメラは、焦点距離などの撮影条件は特に限定されるものではなく、例えば、望遠、広角のレンズなどを備えるものであってもよい。
【００３２】
まず、赤外カメラの内部パラメータの測定を行う前提として、最初に図１に示すキャリブレーション用チャートを加熱または冷却する（＃１）。加熱する場合としては、例えば、ドライヤーなどの温風を吹き付けたり、熱水をかけたりすればよい。また、キャリブレーション用チャートを冷却する場合としては、冷蔵庫中に放置したり、冷水をかけたりすればよい。また、加熱装置や冷却装置を備えるキャリブレーション用チャートの場合は、当該加熱装置または冷却装置を作動させることもできる。ただし、加熱、冷却した結果、撮影後の赤外画像として認識できる程度の温度であることが必要である。例えば、赤外画像は、あまりに冷却すると全体的に黒く写り、また、あまりに加熱すると全体的に白く写るため、温度差を明確に画像化することが困難となる。
【００３３】
加熱、冷却されたキャリブレーション用チャートは、本体部２と周囲の温度である貫通穴３と比較して所定以上の温度差を有する。この状態において、キャリブレーション用チャートを立てた状態に配置する（＃２）。この際、背後の物体からの輻射熱を避けるために、キャリブレーション用チャートは背後の物体から遠ざけることが望ましい。
【００３４】
次いで、キャリブレーション用チャート１を内部パラメータの測定を行う赤外カメラにより撮影する（＃３）。撮影の際には、キャリブレーション用チャート１が画角内にすべて収まり、かつ、なるべく画像全体に広がるように行うことが好ましい。また、撮影は、少なくとも２つの撮影位置から行えばよいが、図４に示す正面、上下、左右の５箇所２０ａ〜２０ｅにおいてそれぞれ行うことが好ましい。また、それぞれの撮影位置から行う場合において、赤外カメラの焦点距離、撮影画素数などの撮影条件は同一であることが必要である。
【００３５】
なお、１枚の撮影が終わり、次の撮影にかかる間にキャリブレーション用チャートが室温と同程度となった場合は、再度キャリブレーション用チャートを加熱または冷却し、本体部２と貫通穴３との間に温度差ができるようにすることが必要である。本体部２が室温となると、赤外カメラにより撮影された赤外画像が、本体部２と貫通穴３の位置を確認できなくなるためである。
【００３６】
次に、５箇所から撮影された複数枚の赤外画像を、内部パラメータを演算するためのコンピュータに入力する（＃４）。赤外画像は、本体部２と貫通穴３との温度差により、貫通穴３の位置が認識可能となっている。この入力された複数枚の画像から、貫通穴３に対応する部分を抽出し、公知の方法によりカメラの内部パラメータの演算を行う（＃５）。内部パラメータの演算の方法は、特に限定されるものではなく、写真計測やコンピュータビジョン分野などにおいて広く用いられている方法を用いることができる。
【００３７】
（第２実施形態）
図５は、本発明の第２実施形態にかかるキャリブレーション用チャートの部分拡大斜視図である。図５に示すキャリブレーション用チャート１０は、第１実施形態にかかるキャリブレーション用チャートと共通する構成を有するため、以下、相違部分を中心に説明する。
【００３８】
図５に示すキャリブレーション用チャート１０は矩形の平板状の本体部１２の表面に、格子状に複数の金属片１３を貼付した構成である。本体部１２は、アクリルなどの合成樹脂で構成された平板であり、厚み寸法は、１mmから１０mm程度である。
【００３９】
本体部１２の表面に貼付された小片１３は、後述する赤外カメラを用いて、当該キャリブレーション用チャートを撮影した撮影画像において、画像上認識可能な点として映し出される部分であり、カメラの内部パラメータ測定に用いられる。小片１３は、相対的な位置関係が既知となるように配置され、好ましくは本体部１２に均等に設けられる。さらに好ましくは、図５に示すように格子状に配置される。また、さらには、隣り合う貫通穴間のＸ方向及びＹ方向の距離は、すべて同一に構成されていることが好ましい。
【００４０】
小片１３は、本体部１２と熱伝導率が異なる材質で構成されることが必要であり、本実施形態では、アルミニウム箔の円板が用いられている。小片の直径は、概ね数ミリメートルから数センチメートル程度とすることが好ましく、３ｍｍから３ｃｍ程度とすることが好ましい。
【００４１】
図５のキャリブレーション用チャート１０において、本体部１２と小片１３とは、熱伝導度が異なるため、室温に対して加熱または冷却した場合、熱の放散速度が異なる。すなわち、熱伝導度が大きいアルミニウムで作られた小片１３は、比較的短時間で室温に戻るのに対し、熱伝導度が小さいアクリル樹脂で作られた本体部１２は、加熱または冷却された温度に保たれる時間が長くなる。したがって、室温に対して加熱または冷却されたキャリブレーション用チャート１０を室温に放置しておくと、小片１３の部分と本体部１２との部分との温度差が生じ、赤外画像として撮影した場合に小片の部分が認識可能となる。
【００４２】
図６は、図５のキャリブレーション用チャートを用いて赤外カメラの内部パラメータを測定する場合の手順を示す図である。まず、赤外カメラの内部パラメータの測定を行う前提として、最初に図１に示すキャリブレーション用チャートを加熱または冷却する（＃１１）。
【００４３】
次に加熱、冷却されたキャリブレーション用チャート１０を立てた状態に配置する（＃１２）。キャリブレーション用チャート１０を配置した後、小片１３と本体部１２との間に温度差が生じるまで所定時間放置する（＃１３）。放置時間は、小片１３と本体部１２に用いられている材質、チャートの加熱冷却温度と周囲の気温との差などにおいて異なるが、概ね数秒から数分程度である。
【００４４】
次いで、キャリブレーション用チャート１０を内部パラメータの測定を行う赤外カメラにより撮影する（＃１４）。撮影の際には、キャリブレーション用チャート１０が画角内にすべて収まり、かつ、なるべく画像全体に広がるように行うことが好ましい。また、撮影は、少なくとも２つの撮影位置から行えばよいが、第１実施形態と同様に、図４に示す正面、上下、左右の５箇所２０ａ〜２０ｅにおいてそれぞれ行うことが好ましい。また、それぞれの撮影位置から行う場合において、赤外カメラの焦点距離、撮影画素数などの撮影条件は同一であることが必要である。
【００４５】
なお、１枚の撮影が終わり、次の撮影にかかる間に本体部１２と小片１３が室温と同程度となった場合は、再度キャリブレーション用チャートを加熱または冷却した後、一定時間放置し、本体部１２と小片１３との間に温度差ができるようにすることが必要である。本体部１２と小片１３が同一の温度となると、赤外カメラにより撮影された赤外画像が、本体部１２と小片１３の位置を確認できなくなるためである。
【００４６】
次に、５箇所から撮影された複数枚の赤外画像を、内部パラメータを演算するためのコンピュータに入力する（＃１５）。赤外画像は、本体部１２と小片１３との温度差により、小片１３の位置が認識可能となっている。この入力された複数枚の画像から、小片１３に対応する部分を抽出し、公知の方法によりカメラの内部パラメータの演算を行う（＃１６）。内部パラメータの演算の方法は、特に限定されるものではなく、写真計測やコンピュータビジョン分野などにおいて広く用いられている方法を用いることができる。
【００４７】
以上説明したように、上記各実施形態にかかるキャリブレーション用チャートによれば、本体部と貫通穴または小片との温度差により、赤外画像上において、ターゲットとして機能する貫通穴または小片の位置を特定することができ、赤外画像によるカメラの内部パラメータの測定を行うことができる。
【００４８】
なお、本発明は上記実施形態に限定されるものではなく、その他種々の態様で実施可能である。
【００４９】
例えば、第２実施形態において、小片を樹脂で構成し、本体部を金属で構成することも可能である。また、
【図面の簡単な説明】
【００５０】
【図１】本発明の第１実施形態にかかるキャリブレーション用チャートの概略構成を示す図である。
【図２】図１のキャリブレーション用チャートの部分拡大斜視図である。
【図３】図１のキャリブレーション用チャートを用いて赤外カメラの内部パラメータを測定する場合の手順を示す図である。
【図４】キャリブレーション用チャートのカメラ配置を示した立体図である。
【図５】本発明の第２実施形態にかかるキャリブレーション用チャートの部分拡大斜視図である。
【図６】図５のキャリブレーション用チャートを用いて赤外カメラの内部パラメータを測定する場合の手順を示す図である。
【符号の説明】
【００５１】
１，１０  キャリブレーション用チャート
２，１２  本体部
３，１３貫通穴
【図１】
2006170648.tif 000003
【図２】
2006170648.tif 000004
【図３】
2006170648.tif 000005
【図４】
2006170648.tif 000006
【図５】
2006170648.tif 000007
【図６】
2006170648.tif 000008